(57)【要約】【課題】ブレードサーバ装置において、Ｓｅｒｉａｌ  Ａｔｔａｃｈｅｄ  ＳＣＳＩ（ＳＡＳ）インターフェースを用いて、任意の台数のサーバブレードと、任意の台数のストレージブレードと、ストレージブレード内にある任意の台数のストレージ装置を接続する手段を提供する。【解決手段】サーバブレードとストレージブレードとエクスパンダとを備え、前記サーバブレードと前記ストレージブレードをバックプレーンボード上の複数のスロットのいずれかに搭載して所定のインターフェースで接続し、前記サーバブレード又は前記ストレージブレードのいずれかが搭載されるスロットは同一の信号ピン配置と同一の物理的及び電気的仕様を有する。【選択図】  図１
2008140094.tif 000002
【特許請求の範囲】
【請求項１】
少なくとも１台のサーバブレードと少なくとも1台のストレージブレードと前記サーバブレードと前記ストレージブレード間の転送データを中継する第１のエクスパンダとを備え、前記サーバブレードと前記ストレージブレードをバックプレーンボード上の複数のスロットのいずれかに搭載して所定のインターフェースで接続するブレードサーバ装置であって、
前記サーバブレード又は前記ストレージブレードのいずれかが搭載されるスロットは同一の信号ピン配置と同一の物理的及び電気的仕様を有することを特徴とするブレードサーバ装置。
【請求項２】
前記ストレージブレードは少なくとも１台の記憶装置を有し、該少なくとも１台の記憶装置は第２のエクスパンダを介して前記バックプレーンボードに配置された所定のインターフェースと接続されることを特徴とする請求項１記載のブレードサーバ装置。
【請求項３】
前記サーバブレードは記憶装置制御装置と少なくとも１台の記憶装置を有し、該少なくとも１台の記憶装置は第３のエクスパンダを介して前記記憶装置制御装置又は前記バックプレーンボードに配置された所定のインターフェースと接続されることを特徴とする請求項１記載のブレードサーバ装置。
【請求項４】
前記所定のインターフェースはＳＡＳインターフェースであることを特徴とする請求項１乃至３のいずれかに記載のブレードサーバ装置。
【請求項５】
前記第１のエクスパンダは、複数の入出力ポートと、該複数の入出力ポートの接続の組み合わせを定義する接続管理情報とを有することを特徴とする請求項１記載のブレードサーバ装置。
【請求項６】
前記第１のエクスパンダは、前記接続管理情報を設定する設定入力手段を備えることを特徴とする請求項５記載のブレードサーバシステム。
【発明の詳細な説明】
【技術分野】
【０００１】
本発明は、サーバブレードとストレージブレードとを備えたブレードサーバ装置に関する。
【背景技術】
【０００２】
近年、サーバの高密度実装化が進んでいる中、登場したのがブレードサーバ装置である。ブレードサーバ装置の”ブレード”とは、サーバとしての機能するためのハードウェア、ソフトウェアを備えた１枚の回路基板のことである。このブレードを複数枚、１つの筐体内に実装して、高密度実装を実現している。
【０００３】
ブレードサーバ装置は、基本的に次のような構成をしている。サーバとしての機能を果たすために、ＣＰＵを搭載してユーザのアプリケーションに応じて様々な情報処理を行うサーバブレードと、これをインターネット、ＬＡＮ等と接続するインターフェースを提供する機能部と、サーバブレードが使用する記憶装置を接続するためのインターフェース部と、ブレードサーバ装置内の動作の監視、制御、設定を行う機能部、とこれらに必要な電源を供給する電源部より構成され筐体内に実装される。また、任意の台数の記憶装置を搭載したブレードをストレージブレードと称する。
【０００４】
現状のブレードサーバ装置が使用する記憶装置の多くは、ＡＴＡ、Ｓ−ＡＴＡ（Ｓｅｒｉａｌ  ＡＴＡ）、ＦＣ（Ｆｉｂｒｅ  Ｃｈａｎｎｅｌ）、ＳＣＳＩインターフェースを用いている。その中で、ＳＣＳＩインターフェースは、これまでパラレル伝送方式によるインターフェースであったが、転送性能が向上されるに従いパラレル伝送方式での性能上の限界となり、今後は、より高速な伝送を行うために、ＳＡＳ（Ｓｅｒｉａｌ  Ａｔｔａｃｈｅｄ  ＳＣＳＩ）インターフェースへと、移行される。
【０００５】
ＦＣの場合、転送元（イニシエータ）と、転送先（ターゲット）を接続する方法として、１対１で接続するポイント・ツー・ポイント方式と、ＦＣ−ＳＷ（Ｆｉｂｒｅ  Ｃｈａｎｎｅｌ Ｓｗｉｔｃｈ）を利用して、イニシエータとターゲットをそれぞれ任意の台数づつ接続する方法があるが、ＦＣ機器は一般的に高価なため、システム全体の構成を組むと、非常に高価なシステムとなる。
【０００６】
ＳＡＳインターフェースでも、基本はポイント・ツー・ポイントで接続する方式であるが、他に、ＦＣ−ＳＷに相当するデバイスとして、データ転送を中継するエクスパンダがある。エクスパンダを利用することで、多数のイニシエータやターゲットが接続可能である。
【０００７】
特許文献１には、ブレードサーバとしての、搭載される機器、インターフェースの数に応じて、そのインターフェース数自体を増設可能であること、が開示されている。
【０００８】
【特許文献１】特開２００４−３５５３５１号公報
【発明の開示】
【発明が解決しようとする課題】
【０００９】
ＳＡＳインターフェースのように、ターゲットとイニシエータが１対１での接続を前提としたインターフェースを備えた記憶装置を搭載するストレージブレードにおいて、そのストレージブレードに対して任意の台数の制御用サーバブレードと、任意の台数の記憶装置を搭載するストレージブレードと、をバックプレーンボード上で接続する構成を行う場合、記憶装置台数分の接続が必要となり、各スロットのピン数が有限であることから、数的な拡張性の限界と、サーバブレードとストレージブレードのピン配置が共通化できないことから、サーバブレードとストレージブレードの任意の組み合わせで構成することが出来なかった。
【００１０】
本発明の目的は、バックプレーンボード上にて、任意の台数のストレージブレードと、任意の台数のサーバブレードとを接続可能とすることにある。
【課題を解決するための手段】
【００１１】
本発明は、少なくとも１台のサーバブレードと少なくとも1台のストレージブレードと前記サーバブレードと前記ストレージブレード間の転送データを中継するエクスパンダとを備え、前記サーバブレードと前記ストレージブレードをバックプレーンボード上の複数のスロットのいずれかに搭載して所定のインターフェースで接続するブレードサーバ装置であって、前記サーバブレード又は前記ストレージブレードのいずれかが搭載されるスロットは同一の信号ピン配置と同一の物理的及び電気的仕様を有することを特徴とする。
【発明の効果】
【００１２】
本発明によれば、１対１接続が前提のインターフェース機器であって、任意の台数のサーバブレードと、任意の台数のストレージブレードとをバックプレーンボードによる接続にて、任意の台数対任意の台数での接続で構成することが可能となり、装置構成の自由度が向上する。
【発明を実施するための最良の形態】
【００１３】
以下、本発明の実施例を図面を用いて説明する。
図１に本実施例で使用するブレードサーバ装置（Ｇ１０）の全体構成例を示す。
【００１４】
ブレードサーバ装置（Ｇ１０）は、６台のサーバブレード（Ｇ５１〜Ｇ５６）と、２台のストレージブレード（Ｇ２１〜Ｇ２２）と、各ストレージブレードに各々内蔵する４台の記憶装置（Ｇ３１〜Ｇ３２）と、各サーバブレード及び、各ストレージブレードのインターフェース部分を接続するためのバックプレーンボード（Ｇ４１）と、各サーバブレードと各ストレージブレードとのインターフェースを制御する２台のＳＡＳエクスパンダ（Ｇ６１〜Ｇ６２）を有する。本実施例では搭載するサーバブレードを６台、ストレージブレードを２台、各ストレージブレードに搭載される記憶装置を４台、としたが、台数は任意である。また、ここで搭載する記憶装置はハードディスク装置とする。
【００１５】
サーバブレードと、ストレージブレードとのインターフェース部分の物理的な接続は、バックプレーンボード（Ｇ４１）を使用する。また、バックプレーンボードには、伝送制御のインターフェースの結線も含む。
【００１６】
図２は、サーバブレードと、ストレージブレードと、ＳＡＳエクスパンダと、の接続例を示す。図２では、ＳＡＳ（Ｓｅｒｉａｌ  Ａｔｔａｃｈｅｄ  ＳＣＳＩ）における実施例を示してある。
【００１７】
ブレードサーバ装置（Ｄ１０）は、サーバブレード（Ｄ１０１〜Ｄ１０２）と、ストレージブレード（Ｄ２０１）と、エクスパンダ（Ｄ３０１〜Ｄ３０２）と、を有する。本実施例ではサーバブレード台数を２台、ストレージブレードを１台、としたが、台数は任意である。
【００１８】
サーバブレード（Ｄ１０１）は、記憶装置（Ｄ１４１〜Ｄ１４２）を制御するためのＳＡＳコントローラ（Ｄ１２１）を有し、サーバブレード（Ｄ１０２）についても、記憶装置（Ｄ１４３〜Ｄ１４４）を制御するためのＳＡＳコントローラ（Ｄ１２２）を有する。該ＳＡＳコントローラ（Ｄ１２１及びＤ１２２）は、ストレージブレード（Ｄ２０１）に搭載された記憶装置を制御する機能と、該サーバブレードに搭載された記憶装置（Ｄ１４１〜Ｄ１４２）を制御する機能を有し、該サーバブレードに搭載された記憶装置の接続には、エクスパンダ（Ｄ１３１及びＤ１３２）を介して接続する。
【００１９】
ストレージブレード（Ｄ２０１）は、４台の記憶装置（Ｄ２１１〜Ｄ２１４）を有し、各記憶装置は、各々２台のエクスパンダ（Ｄ２３１及びＤ２３２）により接続される。２台のエクスパンダとしたのは、冗長性を持たせるためである。
【００２０】
ＳＡＳエクスパンダ（Ｄ３０１及びＤ３０２）は、サーバブレード（Ｄ１０１〜Ｄ１０２）と、ストレージブレード（Ｄ２０１）を接続する機能を有する。該機能を実施するにあたり予め接続管理情報（Ｄ３１１、Ｄ３１２）を設定する。該設定を行うため、設定ツール（Ｔ３１１、Ｔ３１２）を有する。例えば、ポート１（Ｐ１）とポート４（Ｐ４）、ポート５（Ｐ５）の組み合わせと、ポート２（Ｐ２）、ポート４（Ｐ４）、ポート５（Ｐ５）の組み合わせを接続管理情報（Ｄ３１１、Ｄ３１２）として設定した場合、サーバブレード（Ｄ１０１）は、記憶装置（Ｄ１４１〜Ｄ１４４）と、ストレージブレード（Ｄ２０１）内の記憶装置（Ｄ２１１〜Ｄ２１４）へＳＡＳエクスパンダ（Ｄ２３１）を介して制御可能となり、サーバブレード（Ｄ１０２）は、記憶装置（Ｄ１４１〜Ｄ１４４）とストレージブレードＤ２０１内の記憶装置（Ｄ２１１〜Ｄ２１４）へＳＡＳエクスパンダ（Ｄ２３２）を介して制御可能となる。
【００２１】
図３は、図２の実施例で設定される接続管理情報（Ｄ３１１、Ｄ３１２）を示す。
【図面の簡単な説明】
【００２２】
【図１】本発明の一実施例による、ブレードサーバ装置の全体構成例を示す図である。
【図２】本発明の一実施例による、サーバブレードと、ストレージブレードと、ＳＡＳエクスパンダとの接続例を示す図である。
【図３】本発明の一実施例による、接続管理情報例を示す図である。
【符号の説明】
【００２３】
Ｇ１０  ブレードサーバ装置
Ｇ２１〜Ｇ２２  ストレージブレード
Ｇ３１〜Ｇ３２  記憶装置
Ｇ４１  バックプレーンボード
Ｇ５１〜Ｇ５６  サーバブレード
Ｇ６１〜Ｇ６２  ＳＡＳエクスパンダ
Ｇ７１〜Ｇ７２  外付け記憶装置
Ｇ８１〜Ｇ８６  記憶装置
Ｄ１０  ブレードサーバ装置
Ｄ１０１〜Ｄ１０２  サーバブレード
Ｄ１２１〜Ｄ１２２  ＳＡＳコントローラ
Ｄ１３１〜Ｄ１３２  ＳＡＳエクスパンダ
Ｄ１４１〜Ｄ１４４  記憶装置
Ｄ２０１  ストレージブレード
Ｄ２１１〜Ｄ２１４  記憶装置
Ｄ２３１〜Ｄ２３２  ＳＡＳエクスパンダ
Ｄ３０１〜Ｄ３０２  ＳＡＳエクスパンダ
Ｄ３１１〜Ｄ３１２  接続管理情報
Ｔ３１１〜Ｔ３１２  接続管理情報設定手段
Ｐ１〜Ｐ６  ＳＡＳ入出力ポート
【図１】
2008140094.tif 000003
【図２】
2008140094.tif 000004
【図３】
2008140094.tif 000005